(57)【特許請求の範囲】
【請求項１】
中央に、スリット状開口部を、その左右両側に、該スリット状開口部から側方に向かって下方に傾斜する左右傾斜面部を、有する天井面部と、
該天上面の左、右傾斜面部とほぼ平行な左、右傾斜面部と、該左、右傾斜面部の頂辺から上方に伸びる垂直隔壁を有する床面部と、
上記天井面部と床面部とを連結する側壁面部とを、有する、矩形筒状体形状をした内容器を備え、
上記垂直隔壁で分割された左、右の内部空間の各々に、上記天井面部と床面部との間の寸法とほぼ等しい長さの複数の細長板状体を、その板面を、上記垂直隔壁とほぼ平行な状態として、収容可能である、
ことを特徴とする容器。
【請求項２】
請求項１記載の容器において、
上記スリット状開口部を、密閉封止する栓部材を備えた、
ことを特徴とする容器。
【請求項３】
請求項２記載の容器において、
上記栓部材は、上記内容器を収納する外容器に、ヒンジにより開閉可能に連結された蓋体の内面に取り付けられている、ことを特徴とする容器。
【請求項４】
請求項３記載の容器において、
上記床面部の左、右傾斜面部に、複数の貫通孔が設けられ、上記床面部の左、右傾斜面部と、上記外容器の底面との間の空間に、乾燥剤が収容されている、
ことを特徴とする容器。
【請求項５】
請求項１記載の容器において、
上記スリット状開口部の幅は、上記内容器内に収容された上記細長板状体が、該スリット状開口部から、１枚だけ出てくるような幅である、
ことを特徴とする容器。
【請求項６】
請求項１記載の容器において、
上記天井面部と床面部との間の寸法は、上記細長板状体の長さにほぼ等しい、
ことを特徴とする容器。
【請求項７】
請求項１記載の容器において、
上記垂直隔壁と、上記内容器の上記垂直隔壁と対向する内面との間の寸法は、上記板状体の幅より小さい、
ことを特徴とする容器。
【請求項８】
請求項３記載の容器において、
上記内容器は、それぞれ別体で構成される上記天井面部と、側壁面部とを含む無底矩形筒状体と、
上記床面部と上記垂直隔壁とを含む床部材とからなり、
直方体筒状である上記外容器に、上記床部材と上記無底矩形筒状体とを、この順で、挿嵌することにより、構成される、
ことを特徴とする容器。
【発明の詳細な説明】
【０００１】
【発明の属する技術分野】
本発明は、薬剤、食品等を収納する容器に関するものであり、特に細長い板状体の薬剤、食品等を収容する容器から容易に且つ、確実に収容物を１枚ずつ取り出すことができ、また、収容時においては気密性の高い容器に関する。
【０００２】
【従来の技術】
従来より薬剤、食品等を収納する容器は、種々提案されている。
ここでは、細長板状体である血糖値センサーを収容する容器を例に挙げ、従来の容器について図８を用いて説明する。
【０００３】
図８は、細長板状体である収容物（血糖値センサー）１５を収容した容器の、蓋体２０を容器１９から取り外した状態の斜視図である。収容物（血糖値センサー）１５は容器１９の中に収容され、容器１９の開口部に対して蓋体２０は、圧入あるいはねじ等の方法で嵌合される形となっている。
このような容器から収容物を取り出すときは、まず、蓋体２０をはずし、手やピンで適量の収容物（血糖値センサー）１５をつまみ出し、もしくは、床に適量の収容物（血糖値センサー）１５を振り出して、必要量以上の収容物（血糖値センサー）１５は再び容器１９に戻すといった動作が必要である。
【０００４】
【発明が解決しようとする課題】
しかしながら、上記従来構成の容器においては、収容物を取り出すときに蓋体２０を外し、図９の様に収容物である血糖値センサー１５が容器１９から外に一度に多量に振り出してしまう可能性があるため、必要数量以外のものを再度容器１９内へ戻す作業が発生するという問題があった。また、床等に一度にばらまかれた場合は、埃や湿気等に汚染される可能性もあり、非常に不衛生であるという問題があった。さらに、収容物を取り出す際には、蓋体２０を完全に取り外して収容物を取り出す必要があるため、開口部が大きい容器１９にとっては、気密性がよくなく、収容物が外気の埃や湿気に曝されるといった問題があった。
【０００５】
本発明は、上記従来の問題点を解決するためになされたものであり、薄く細長い板状体の収容物を確実に希望通りの数量を取り出すことができ、且つ、気密性の高い容器を提供することを目的とするものである。
【０００６】
【課題を解決するための手段】
上記問題を解決するために、本発明の請求項１に係る容器は、中央に、スリット状開口部を、その左右両側に、該スリット状開口部から側方に向かって下方に傾斜する左右傾斜面部を、有する天井面部と、該天上面の左、右傾斜面部とほぼ平行な左、右傾斜面部と、該左、右傾斜面部の頂辺から上方に伸びる垂直隔壁を有する床面部と、上記天井面部と床面部とを連結する側壁面部とを、有する、矩形筒状体形状をした内容器を備え、上記垂直隔壁で分割された左、右の内部空間の各々に、上記天井面部と床面部との間の寸法とほぼ等しい長さの複数の細長板状体を、その板面を、上記垂直隔壁とほぼ平行な状態として、収容可能であるものである。これにより、容器内で細長板状体の向きが一定方向に揃い、容器を逆さに傾けることによって、多数の内容物が一度に飛び出すことがなく、容易に、かつ、確実に、細長板状体の内容物を１枚づつ取り出すことができる。また、内容器の床部材に垂直隔壁を設けたことにより、２つの部屋とすることができ、小型容器内に多くの内容物を収納することができる。さらに、スリット状開口部は、従来の容器の開口部に比べて開口面積が小さいため、気密性がよく、内容物を外気の埃や湿気等に曝されないようにすることができる。
【０００７】
本発明の請求項２に係る容器は、請求項１記載の容器において、上記スリット状開口部を、密閉封止する栓部材を備えたものである。これにより、容器の気密性がよくなり、内容物を外気の埃や湿気等に曝されないようにすることができる。
【０００８】
本発明の請求項３に係る容器は、請求項２記載の容器において、上記栓部材は、上記内容器を収納する外容器に、ヒンジにより開閉可能に連結された蓋体の内面に取り付けられているものである。これにより、上記蓋体に取り付けられた栓部材で、ワンタッチで、短時間に、容易に、容器を開閉することができ、容器の気密性がよくなり、内容物を外気の埃や湿気等に曝されないようにすることができる。
【０００９】
本発明の請求項４に係る容器は、請求項３記載の容器において、上記床面部の左、右傾斜面部に、複数の貫通孔が設けられ、上記床面部の左、右傾斜面部と、上記外容器の底面との間の空間に、乾燥剤が収容されているものである。これにより、容器内の雰囲気を低湿度に保ち、内容物の保存をよくすることができる。
【００１０】
本発明の請求項５に係る容器は、請求項１記載の容器において、上記スリット状開口部の幅は、上記内容器内に収容された上記細長板状体が、該スリット状開口部から、１枚だけ出てくるような幅であるものである。これにより、容器を逆さに傾けることによって、多数の内容物が一度に飛び出すことがなく、容易に、かつ、確実に、細長板状体の内容物を１枚づつ取り出すことができる。
【００１１】
本発明の請求項６に係る容器は、請求項１記載の容器において、上記天井面部と床面部との間の寸法は、上記細長板状体の長さにほぼ等しいものである。これにより、容器内で上記細長板状体の向きが一定方向から変わることなく、容器を逆さに傾けることによって、容易に、かつ、確実に、細長板状体の内容物を１枚ずつ取り出すことができる。
【００１２】
本発明の請求項７に係る容器は、請求項１記載の容器において、上記垂直隔壁と、上記内容器の上記垂直隔壁と対向する内面との間の寸法は、上記板状体の幅より小さいものである。これにより、容器内で上記細長板状体の向きが一定方向から変わることなく、容器を逆さに傾けることによって、容易に、かつ、確実に、細長板状体の内容物を１枚ずつ取り出すことができる。
【００１３】
本発明の請求項８に係る容器は、請求項３記載の容器において、上記内容器は、それぞれ別体で構成される上記天井面部と、側壁面部とを含む無底矩形筒状体と、上記床面部と上記垂直隔壁とを含む床部材とからなり、直方体筒状である上記外容器に、上記床部材と上記無底矩形筒状体とを、この順で、挿嵌することにより、構成されるものである。この構成により、内容物と乾燥剤を収納した容器の組み立て操作を容易にし、組み立て作業のコストを低くするとともに、容器の反復使用を容易に行うことができる。
【００１４】
【発明の実施の形態】
（実施の形態１）
以下に、本発明の実施の形態１による容器について、収容物が血糖値センサーである場合を例に挙げ、図面を用いて説明する。
図１は、本発明の実施の形態１による容器１から蓋体３を開けた状態の斜視図であり、図２は、容器１の断面図である。図３は、内容器４を構成する無底矩形筒状体１６の斜視図であり、図４は、内容器４を構成する床部材１７の斜視図である。
【００１５】
図において、１は容器、２は直方体筒状である外容器、３は外容器２にヒンジ８により開閉可能に連結された蓋体である。蓋体３の内面には、スリット状開口部５を、密閉封止する栓部材１３が備わっている。この栓部材１３は、蓋体３と一体形成された３個の突起状物である栓部材a１３aと、蓋体３とは別材のゴム材でできたゴムキャップ状の栓部材b１３bとからなる。
【００１６】
図１に示すように、容器１の蓋体３の内側に設けられた３本の嵌合用突起である栓部材a１３aおよびゴムキャップ状の栓部材b１３ｂは、図２に示すように、栓部材a１３aの真ん中の一本の突起が、スリット状開口部５の空き孔に入る栓として開口部を塞ぎ、他の２本の突起が、スリット状開口部５の外周をはさみ、また、栓部材b１３ｂがスリット状開口部５のシール部に当たり、丁度、スリット状開口部５を密閉する寸法となっている。したがって、上記蓋体３の開閉と同時に、スリット状開口部５の開放および封止を行う。
【００１７】
４は内容器である。内容器４は、それぞれ別体で構成される無底矩形筒状体１６（図３に示す）と床部材１７（図４に示す）とからなり、この内容器４は、図２に示すように、外容器２に上記の順に挿嵌されている。無底矩形筒状体１６は、中央に、スリット状開口部５を、その左右両側に、スリット状開口部５から側方に向かって傾斜する傾斜面部（天井）１８を、有する天井面部１１と、天井面部１１と床面部１２とを連結する側壁面部１４と、を含む。床部材１７は、左右の傾斜面部（天井）１８とほぼ並行な左右の傾斜面部である床面部１２と、この左右の傾斜面部である床面部１２の頂辺から上方に伸びる垂直隔壁９と、を含む。
【００１８】
図６に示すように、床部材１７に設けられた垂直隔壁９により、容器１の収納スペースが２つの部屋に仕切られており、血糖値センサー１５を各部屋に多く収納することができる。
【００１９】
１５は、細長板状体の収容物（血糖値センサー）であり、図２に示すように、容器１内の垂直隔壁９で分割された左、右の空間の各々に、その板面を垂直隔壁９とほぼ平行な状態で収容されている。また、天井面部１１と床面部１２との間の寸法は、細長板状体の収容物（血糖値センサー）１５の長さにほぼ等しい。さらに、垂直隔壁９と、内容器４の上記垂直隔壁１４と対向する内面との間の寸法は、収容物（血糖値センサー）１５の幅より小さい。
【００２０】
スリット状開口部５は、従来の容器の開口部より開口面積が小さく、このスリット状開口部５の幅は、容器１に収容された細長板状体の収容物（血糖値センサー）１５がスリット状開口部５から、１枚だけ出てくるような幅である。
【００２１】
床面部１２の左右の傾斜面部には、複数の貫通孔７が設けられていて、図２に示すように、この床面部１２の左右の傾斜面部と、外容器２の底面との間の空間に、乾燥剤６を収納する。乾燥剤６は容器１内で吸湿力を発揮して、低湿度に保ち、また、スリット状開口部５の開口面積が小さく、蓋体３の開閉に要する時間が短いので、蓋体３を開けたとき、外気の容器１への流入は少ない。
【００２２】
次に、容器１の使用方法、即ち、容器１内の収容物（血糖値センサー）1５の取り出し方について説明する。
天井面部１１は、スリット状開口部５に向かって傾斜させているので、図６に示すように、容器１を傾けたときに、収容物（血糖値センサー）１５が側壁面部1４で、続いて天井面部１１で滑りやすく、その結果、取り出しの際に、スリット状開口部５へ収容物（血糖値センサー）１５が集まりやすい状態となっている。
【００２３】
そこで、過度の集中を避けるために、床面部１２を、図２に示すように、天井面部１１とほぼ平行に傾斜させているので、収容物（血糖値センサー）１５がこの傾斜によって適度にばらされ、図６に示すように、容器１を傾けたときに、収容物（血糖値センサー）１５が一度に天井面部１１に集まり、互いに競り合ってスリット状開口部５より出にくくなるのを防止し、収容物（血糖値センサー）1５が、スリット状開口部５から、順次、スムーズに出てくるようにしている。
【００２４】
図５および図６に示すように、スリット状開口部５は、収容物（血糖値センサー）1５の単品の幅、厚さに対してクリアランスを考慮した寸法としており、取り出すときは、収容物は一枚ずつ出てくる。
【００２５】
また、図７に示すように、収容物（血糖値センサー）１５の消費によって、血糖値センサー１５の収容数量が減少し、血糖値センサー１５が通常の方向に対して直角の方向になると、スリット状開口部５より、取り出すことができなくなる。そこで、天井面部１１と床面部１２とによって構成された部屋は、血糖値センサー１５がこの方向となろうとすると、傾斜した床面部１２が血糖値センサー１５と図７に示す当たり部分１０で当たるので向くことができない。即ち、天井面部１１と床面部１２との間の寸法、収容物（血糖値センサー）１５の長さ、垂直隔壁９と対向する内容器４の内面（即ち側壁面部１４）との間の寸法、収容物（血糖値センサー）１５の幅、の関係を好適に決めることにより、収容物（血糖値センサー）１５の向きが変わらなくなる。天井面部１１と床面部１２との間の寸法を、収容物（血糖値センサー）１５の長さにほぼ等しくし、垂直隔壁９と対向する内容器４の内面（即ち側壁面部１４）との間の寸法を、収容物（血糖値センサー）１５の幅より小さくすると、より確実に、垂直隔壁９および内容器４の内面（即ち側壁面部１４）と平行な方向から方向が変わることを防ぐことができる。これにより、血糖値センサー1５の収容数量が減少しても、その方向を変えることなく、スリット状開口部５から一定方向に取り出すことが出来る。
【００２６】
従って、血糖値センサー１５を使用するときは、図５の如く容器１から蓋体３を開けた状態で、前記スリット状開口部５が下に位置するように、容器１を傾け軽く振ることにより、収容物である血糖値センサー１５を、容易に、かつ、確実に、１枚ずつ取り出すことができる。
【００２７】
次に、収容物（血糖値センサー）１５を容器１に入れる入れ方を説明する。まず、無底矩形筒状体１６のスリット状開口部５が下に向く状態で、無底矩形筒状体１６の中に血糖値センサー１５を入れ、その後、床部材１７の垂直隔壁９が下向きの状態で無底矩形筒状体１６の中に床部材１７を置く。次に、床部材１７の中に乾燥剤６を入れる。この状態で外容器２を被せることにより血糖値センサー１５および乾燥剤６を収納した容器１の組み立てが完成する。このように、容器１が内容器（無底矩形筒状体）１６と、内容器の底部材１７と、外容器２とから組み立てられる構造としたので、収容物１５を容器内に容易に収納することができる。
【００２８】
また、内容器４を外容器２内に圧入するようにしているので、収容物１５を消費して、容器１が空になったときに、外容器２から内容器４を引き出して分解することにより、容器１の反復使用を行うことができる。
【００２９】
このように、中央に、スリット状開口部５を、その左右両側に、該スリット状開口部５から側方に向かって下方に傾斜する左右傾斜面部１８を、有する天井面部１１と、該天上面の左、右傾斜面部とほぼ平行な左、右傾斜面部と、該左、右傾斜面部の頂辺から上方に伸びる垂直隔壁９を有する床面部１２と、上記天井面部１１と床面部１２とを連結する側壁面部１４とを、有する、矩形筒状体形状をした内容器４を備え、上記垂直隔壁９で分割された左、右の内部空間の各々に、上記天井面部１１と床面部１２との間の寸法とほぼ等しい長さの複数の細長板状体を、その板面を、上記垂直隔壁９とほぼ平行な状態として、収容可能であるようにしたので、容器１を傾けて軽く振ることにより、収容物（血糖値センサー）１５を、確実に、１枚ずつ、取り出すことができる。従って、従来のように、多くの収容物が一度に飛び出したり、湿気や汚れに曝されたりすることや、必要量以上の収容物を容器に戻す作業もなくなる。
【００３０】
また、栓部材１３は、内容器４を収納する外容器２に、ヒンジ８により開閉可能に連結された蓋体３の内面に取り付けられるようにしたので、板状の収容物１５を効率よく１枚ずつ取り出せるとともに、埃が入りにくく、湿気の影響も少なくできる。
【００３１】
また、床面部１２の左、右傾斜面部に、複数の貫通孔７が設けられ、床面部１２の左、右傾斜面部と、２外容器の底面との間の空間に、乾燥剤６が収容されるようにしたので、容器１内を低湿度状態に保つことができる。
【００３２】
また、外容器２は、それぞれ別体で構成される天井面部１１と、側壁面部１４とを含む無底矩形筒状体１６と、床面部１２と垂直隔壁９とを含む床部材１７とからなり、直方体筒状である外容器２に、床部材１７と無底矩形筒状体１６とを、この順で、挿嵌することにより、構成されるようにしたので、収容物１５と乾燥剤６を収納した容器１の組み立てが容易であるとともに、容器１の反復使用を容易に行うことができる。
【００３３】
【発明の効果】
以上のように、本発明の請求項１に係る容器によれば、中央に、スリット状開口部を、その左右両側に、該スリット状開口部から側方に向かって下方に傾斜する左右傾斜面部を、有する天井面部と、該天上面の左、右傾斜面部とほぼ平行な左、右傾斜面部と、該左、右傾斜面部の頂辺から上方に伸びる垂直隔壁を有する床面部と、上記天井面部と床面部とを連結する側壁面部とを、有する、矩形筒状体形状をした内容器を備え、上記垂直隔壁で分割された左、右の内部空間の各々に、上記天井面部と床面部との間の寸法とほぼ等しい長さの複数の細長板状体を、その板面を、上記垂直隔壁とほぼ平行な状態として、収容可能であるようにしたので、容器内で細長板状体の向きが一定方向に揃い、容器を逆さに傾けることによって、多数の内容物が一度に飛び出すことがなく、容易に、かつ、確実に、細長板状体の内容物を１枚づつ取り出すことができ、また、内容器の床部材に垂直隔壁を設けたことにより、２つの部屋とすることができ、小型容器内に多くの内容物を収納することができ、さらに、スリット状開口部は、従来の容器の開口部に比べて開口面積が小さいため、気密性がよく、内容物を外気の埃や湿気等に曝されないようにすることができる効果がある。
【００３４】
本発明の請求項２に係る容器によれば、請求項１記載の容器において、上記スリット状開口部を、密閉封止する栓部材を備えるようにしたので、容器の気密性がよくなり、内容物を外気の埃や湿気等に曝されないようにすることができる効果がある。
【００３５】
本発明の請求項３に係る容器によれば、請求項２記載の容器において、上記栓部材は、上記内容器を収納する外容器に、ヒンジにより開閉可能に連結された蓋体の内面に取り付けられるようにしたので、上記蓋体に取り付けられた栓部材で、ワンタッチで、短時間に、容易に、容器を開閉することができ、容器の気密性がよくなり、内容物を外気の埃や湿気等に曝されないようにすることができる効果がある。
【００３６】
本発明の請求項４に係る容器によれば、請求項３記載の容器において、上記床面部の左、右傾斜面部に、複数の貫通孔が設けられ、上記床面部の左、右傾斜面部と、上記外容器の底面との間の空間に、乾燥剤が収納されるようにしたので、容器内の雰囲気を低湿度に保ち、内容物の保存をよくすることができる効果がある。
【００３７】
本発明の請求項５に係る容器によれば、請求項１記載の容器において、上記スリット状開口部の幅は、上記内容器内に収容された上記細長板状体が、該スリット状開口部から、１枚だけ出てくるような幅であるようにしたので、容器を逆さに傾けることによって、多数の内容物が一度に飛び出すことがなく、容易に、かつ、確実に、細長板状体の内容物を１枚づつ取り出すことができる効果がある。
【００３８】
本発明の請求項６に係る容器によれば、請求項１記載の容器において、上記天井面部と床面部との間の寸法は、上記細長板状体の長さにほぼ等しくしたので、容器内で上記細長板状体の向きが一定方向から変わることなく、容器を逆さに傾けることによって、容易に、かつ、確実に、細長板状体の内容物を１枚ずつ取り出すことができる効果がある。
【００３９】
本発明の請求項７に係る容器によれば、請求項１記載の容器において、上記垂直隔壁と、上記内容器の上記垂直隔壁と対向する内面との間の寸法は、上記板状体の幅より小さくしたので、容器内で上記細長板状体の向きが一定方向から変わることなく、容器を逆さに傾けることによって、容易に、かつ、確実に、細長板状体の内容物を１枚ずつ取り出すことができる効果がある。
【００４０】
本発明の請求項８に係る容器によれば、請求項３記載の容器において、上記内容器は、それぞれ別体で構成される上記天井面部と、側壁面部とを含む無底矩形筒状体と、上記床面部と上記垂直隔壁とを含む床部材とからなり、直方体筒状である上記外容器に、上記床部材と上記無底矩形筒状体とを、この順で、挿嵌することにより、構成されるようにしたので、内容物と乾燥剤を収納した容器の組み立て操作を容易にし、組み立て作業のコストを低くするとともに、容器の反復使用を容易にすることができる。
【図面の簡単な説明】
【図１】本発明の実施の形態１による容器の蓋体を開けた状態の斜視図である。
【図２】本発明の実施の形態１による容器の断面図である。
【図３】本発明の実施の形態１による無底矩形筒状体の斜視図である。
【図４】本発明の実施の形態１による床部材の斜視図である。
【図５】本発明の実施の形態１による容器の蓋体を開け容器から収容物を取り出している状態の斜視図である。
【図６】本発明の実施の形態１による容器における、床面部の傾斜面により収容物が一度に飛び出すことを防止する構成を示す断面図である。
【図７】本発明の実施の形態１による容器における、垂直隔壁により容器内に複数部屋が仕切られ、かつ床面部の傾斜面によって収容物が容器内に一定方向にしか入らない状態を示す概念図である。
【図８】従来容器の容器と蓋体を分離した状態の斜視図である。
【図９】従来容器において、容器から収容物を取り出している状態の斜視図である。
【符号の説明】
１    容器
２    外容器
３    蓋体
４    内容器
５    スリット状開口部
６    乾燥剤
７    貫通孔
８    ヒンジ
９    垂直隔壁
１０  当たり部分
１１  天井面部
１２  床面部
１３  栓部材
１３a  栓部材a
１３b  栓部材b
１４  側壁面部
１５  収容物（血糖値センサー）
１６  無底矩形筒状体
１７  床部材
１８  傾斜面部（天井）
１９  従来の容器
２０  従来の蓋体
【図１】
0003786258.tif 000002
【図２】
0003786258.tif 000003
【図３】
0003786258.tif 000004
【図４】
0003786258.tif 000005
【図５】
0003786258.tif 000006
【図６】
0003786258.tif 000007
【図７】
0003786258.tif 000008
【図８】
0003786258.tif 000009
【図９】
0003786258.tif 000010